【事件の表示】
　特許第３０２３３５４号に関する訂正審判事件について、次のとおり審決する。
【結　論】
　特許第３０２３３５４号に係る明細書及び図面を本件審判請求書に添付された訂正明細書及び訂正図面のとおり訂正することを認める。
【理　由】
１．手続の経緯
　本件は、平成１３年１０月２日に訂正審判請求がなされ、その後、訂正審判の訂正の対象になる基準明細書を異議２０００−７２２８２号の審理手続きにおいて提出した平成１３年３月１８日付けの訂正請求書に添付した全文訂正明細書としていたのを、特許査定謄本送達時の明細書とするために平成１３年１２月１０日付けで手続補正書が提出されたものである。
　なお、平成１３年１２月１０日付けで提出された手続補正書において、上記した基準明細書を変更することによる補正の他に、平成１３年１０月２日付けで提出した全文訂正明細書の段落【００１２】において、「体型補整機能をまたは筋肉サポート機能」と記載された部分を「体型補整機能」と補正し、また、甲第８号証第５頁の３項の（１）、（２）、（３）及び同第６頁の（４）の各「ネット」をそれぞれ「トリコット」とする補正が追加されたが、前者の補正は、訂正後の請求項の記載との整合を図るための補正であり、後者の補正は、明確な誤記の訂正であるので、何れの補正も特許法第１３２条第２項の規定に違反するものではないから、上記手続補正は適法に補正されたものである。
２．請求の要旨
　本件審判の請求の要旨は、特許第３０２３３５４号（平成１０年１２月９日出願、平成１２年１月１４日設定登録。）の明細書及び図面を本件訂正請求書（平成１３年１２月１０日付け手続補正書で補正されたもの）に添付した訂正明細書及び訂正図面のとおり、すなわち、下記の訂正事項（アａ）〜（ルｂ）のとおりに訂正することを求めるものである。
　【訂正事項】
　（アａ）特許明細書の発明の名称を「体型補整機能または筋肉サポート機能を有する衣類」を「体型補整機能を有する衣類」と訂正する。
　（イａ）特許明細書の特許請求の範囲の請求項１，３，６，７，１０，１１，１３，１４，１９，２０を削除する。
　（ウａ）特許明細書の特許請求の範囲の【請求項２】において、「【請求項２】」を「【請求項１】」と訂正し、
　「挿入糸として弾性糸を用いた」を「挿入糸として１００〜５６０デニールの弾性糸を用いた」と訂正し、
　「前記地編の表側にあらわれる編組織」を「表側にあらわれる前記地編の編組織」と訂正し、
　「パターン状に設け、前記パターンの少なくとも１つが、帯状であり且つカーブした連続パターンである経編地からなる」を「パターン状に設け、前記地編の編組織の変化により形成したパターンの少なくとも１つが、帯状であり且つカーブした連続パターンであって、当該連続パターンの部分が、比較的緊迫力の強い部分であり、且つ緊迫力の強弱の要求に応じて、挿入する弾性糸の本数及び／または太さを変化させて、前記地編組織の変化による緊迫力の強弱の態様と挿入する弾性糸の本数及び／または太さを挿入する部分に応じて変えることの組み合わせにより、種々のグレードの緊迫力を有する部分を１つの経編生地の上に形成し、且つ編方向が衣類のほぼ横方向又は斜め方向となるように２つ以上の前記経編地を縫合することにより形成してなる」と訂正し、
　「体型補整機能または筋肉サポート機能を有する衣類」を「体型補整機能を有するガードル、ショーツ、ボディスーツから選ばれたヒップ部を有する衣類」と訂正する。
　（エａ）特許明細書の特許請求の範囲の【請求項４】において、「【請求項４】」を「【請求項２】」と訂正し、
　「請求項１〜３のいずれかに記載の」を「請求項１に記載の」と訂正し、
　「体型補整機能または筋肉サポート機能を有する衣類」を「ヒップ部を有する衣類」と訂正する。
　（オａ）特許明細書の特許請求の範囲の【請求項５】において、「【請求項５】」を「【請求項３】」と訂正し、
　「請求項１〜４のいずれかに記載の」を「請求項１〜２のいずれかに記載の」と訂正し、
　「体型補整機能または筋肉サポート機能を有する衣類」を「ヒップ部を有する衣類」と訂正する。
　（カａ）特許明細書の特許請求の範囲の【請求項８】において、「【請求項８】」を「【請求項４】」と訂正し、
　「強い部分に挿入及び／又は編み込まれている弾性糸」を「強い部分に挿入されている弾性糸」と訂正し、
　「２本そろえて挿入及び／又は編み込まれている弾性糸」を「２本そろえて挿入されている弾性糸」と訂正し、
　「弱い部分に挿入及び／又は編み込まれている弾性糸」を「弱い部分に挿入されている弾性糸」と訂正し、
　「請求項１〜７のいずれかに記載の」を「請求項１〜３のいずれかに記載の」と訂正し、
　「体型補整機能または筋肉サポート機能を有する衣類」を「ヒップ部を有する衣類」と訂正する。
　（キａ）特許明細書の特許請求の範囲の【請求項９】において、「【請求項９】」を「【請求項５】」と訂正し、
　「請求項１〜５又は８のいずれかに記載の」を「請求項１〜４のいずれかに記載の」と訂正し、
　「体型補整機能または筋肉サポート機能を有する衣類」を「ヒップ部を有する衣類」と訂正する。
　（クａ）特許明細書の特許請求の範囲の【請求項１２】において、「【請求項１２】」を「【請求項６】」と訂正し、
　「請求項１〜１１のいずれかに記載の」を「請求項１〜５のいずれかに記載の」と訂正し、
　「体型補整機能または筋肉サポート機能を有する衣類」を「ヒップ部を有する衣類」と訂正する。
　（ケａ）特許明細書の特許請求の範囲の【請求項１５】において、「【請求項１５】」を「【請求項７】」と訂正し、
　「請求項１〜１４のいずれかに記載の」を「請求項１〜６のいずれかに記載の」と訂正し、
　「体型補整機能または筋肉サポート機能を有する衣類」を「ヒップ部を有する衣類」と訂正する。
　（コａ）特許明細書の特許請求の範囲の【請求項１６】において、「【請求項１６】」を「【請求項８】」と訂正し、
　「衣類がヒップ部を有する衣類であって、」を削除し、
　「帯状であり且つカーブした連続パターンの部分が比較的緊迫力の強い部分であり、且つ衣類の」を「比較的緊迫力の強い部分からなる帯状であり且つカーブした連続パターンの部分が、衣類の」と訂正し、
　「請求項１〜１５のいずれかに記載の」を「請求項１〜７のいずれかに記載の」と訂正し、
　「体型補整機能または筋肉サポート機能を有する衣類」を「ヒップ部を有する衣類」と訂正する。
　（サａ）特許明細書の特許請求の範囲の【請求項１７】において、「【請求項１７】」を「【請求項９】」と訂正し、
　「帯状であり且つカーブした連続パターンの部分が比較的緊迫力の強い部分であり、且つガードルの」を「比較的緊迫力の強い部分からなる帯状であり且つカーブした連続パターンの部分が、ガードルの」と訂正し、
　「請求項１〜１５のいずれかに記載の」を「請求項１〜７のいずれかに記載の」と訂正し、
　「体型補整機能または筋肉サポート機能を有する衣類」を「ヒップ部を有する衣類」と訂正する。
　（シａ）特許明細書の特許請求の範囲の【請求項１８】において、「【請求項１８】」を「【請求項１０】」と訂正し、
　「請求項１７に記載の」を「請求項９に記載の」と訂正し、
　「体型補整機能または筋肉サポート機能を有する衣類」を「ヒップ部を有する衣類」と訂正する。
　（スａ）特許明細書の段落番号【００１３】、【００１５】、【００１８】、【００１９】、【００２２】、【００２３】、【００２５】、【００２６】、【００３１】、【００３２】、【００５６】〜【００７６】、【００７８】、【００９２】〜【００９８】、【０１１２】〜【０１１４】、【０１３５】〜【０１５３】における明細書の記載を、段落番号も含めて削除する。
　（セａ）特許明細書の段落番号【０００１】における最初に出てくる「体型補整機能または筋肉サポート機能を有する衣類」と文末の「体型補整機能または筋肉サポート機能を有する衣類」をそれぞれ「体型補整機能を有するガードル、ショーツ、ボディスーツから選ばれたヒップ部を有する衣類」と訂正する。
　（ソａ）特許明細書の段落番号【０００２】における「水着、レオタード、ブラジャー、スパッツ、スポーツ用タイツ」を削除し、
　「または筋肉サポート機能」を削除する。
　（タａ）特許明細書の段落番号【０００３】及び【０００４】における「図２９」を「図１８」と訂正し、「図３０」を「図１９」と訂正する。
　（チａ）特許明細書の段落番号【０００７】における「、水着、レオタード、ブラジャー、スパッツ、スポーツ用タイツ」を削除し、
　「または筋肉サポート機能」を削除し、
　「近年スポーツにおいては、いわゆるテーピングを施して、筋肉疲労を軽減、予防し、その結果、筋肉疲労の蓄積に伴う障害などの発生を未然に防いだり、痛めた筋肉を保護するためにテーピングを施すことが行われているが、テーピングを施すのは、専門家でないとできないと言う問題がある。そのため、近年スポーツ用タイツなどにおいては、所定の筋肉、例えば外側広筋、大腿直筋、内側広筋からなる大腿部前面側の筋肉群や腓腹筋やヒラメ筋などの下肢部の筋肉の両側部の一部（筋腹を避けてこれらの筋肉または筋肉群の筋繊維方向に沿った方向の両側）に緊迫力の大きい部分を設けたり、ハムストリングスと言われ大腿部の後側の筋肉群（大腿二頭筋、半腱様筋及び半膜様筋からなる）の片側または両側に緊迫力の大きな部分を設けることにより、筋肉の運動能力を妨げず、筋肉疲労軽減したり予防したり、筋肉障害などの発生を未然に予防する機能を持たせたスポーツ用タイツが注目されている。この様な目的で設けられる緊迫力の大きい部分を有するスポーツ用衣類を、以後、筋肉サポート機能を付与した衣類と略称する。かかる筋肉サポート機能を付与した衣類においても、緊迫力の大きい部分は、上記ガードルで説明したと同様の手法で設けられている。」を削除する。
　（ツａ）特許明細書の段落番号【００１１】における３箇所に記載されている「または筋肉サポート機能」をいずれも削除し、
　２箇所に記載されている「付与した衣類」をいずれも「付与したガードル、ショーツ、ボディスーツから選ばれたヒップ部を有する衣類」と訂正し、
　文末の「有する衣類」を「有するガードル、ショーツ、ボディスーツから選ばれたヒップ部を有する衣類」と訂正する。
　（テａ）特許明細書の段落番号【００１２】における「または筋肉サポート機能」を削除する。
　（トａ）特許明細書の段落番号【００１４】における「【００１４】」を「【００１３】」と訂正し、
　「（２）ジャカード編からなる地編が非弾性糸で編まれ、挿入糸として弾性糸を用いた経編地からなる衣類に於て、緊迫力の強弱の要求に応じて前記地編の表側にあらわれる編組織を切り替えて、組織の変化により、所定部分に所定の比較的緊迫力の強い部分と比較的緊迫力の弱い部分をパターン状に設け、前記パターンの少なくとも１つが、帯状であり且つカーブした連続パターンである経編地からなる体型補整機能または筋肉サポート機能を有する衣類。」を「（１）ジャカード編からなる地編が非弾性糸で編まれ、挿入糸として１００〜５６０デニールの弾性糸を用いた経編地からなる衣類に於て、緊迫力の強弱の要求に応じて表側にあらわれる前記地編の編組織を切り替えて、組織の変化により、所定部分に所定の比較的緊迫力の強い部分と比較的緊迫力の弱い部分をパターン状に設け、前記地編の編組織の変化により形成したパターンの少なくとも１つが、帯状であり且つカーブした連続パターンであって、当該連続パターンの部分が、比較的緊迫力の強い部分であり、且つ緊迫力の強弱の要求に応じて、挿入する弾性糸の本数及び／または太さを変化させて、前記地編組織の変化による緊迫力の強弱の態様と挿入する弾性糸の本数及び／または太さを挿入する部分に応じて変えることの組み合わせにより、種々のグレードの緊迫力を有する部分を１つの経編生地の上に形成し、且つ編方向が衣類のほぼ横方向又は斜め方向となるように２つ以上の前記経編地を縫合することにより形成してなる体型補整機能を有するガードル、ショーツ、ボディスーツから選ばれたヒップ部を有する衣類。」と訂正する。
　（ナａ）特許明細書の段落番号【００１６】における「【００１６】」を「【００１４】」と訂正し、
　「（４）ジャカード編からなる地編組織の表側にあらわれる地編組織が、サテン調ネット組織とメッシュ調ネット組織との組合わせからなる前記（１）〜（３）項のいずれかに記載の体型補整機能または筋肉サポート機能を有するヒップ部を有する衣類。」を「（２）ジャカード編からなる地編組織の表側にあらわれる地編組織が、サテン調ネット組織とメッシュ調ネット組織との組合わせからなる前記（１）項に記載のヒップ部を有する衣類。」と訂正する。
　（ニａ）特許明細書の段落番号【００１７】における「【００１７】」を「【００１５】」と訂正し、
　「（５）ジャカード編からなる地編組織の表側にあらわれる地編組織において、比較的緊迫力の強い部分がサテン調ネット組織からなり、比較的緊迫力の弱い部分がメッシュ調ネット組織からなる前記（１）〜（４）項のいずれかに記載の体型補整機能または筋肉サポート機能を有する衣類。」を「（３）ジャカード編からなる地編組織の表側にあらわれる地編組織において、比較的緊迫力の強い部分がサテン調ネット組織からなり、比較的緊迫力の弱い部分がメッシュ調ネット組織からなる前記（１）〜（２）項のいずれかに記載のヒップ部を有する衣類。」と訂正する。
　（ヌａ）特許明細書の段落番号【００２０】における「【００２０】」を「【００１６】」と訂正し、
　「（８）比較的緊迫力の強い部分に挿入及び／又は編み込まれている弾性糸が、２本そろえて挿入及び／又は編み込まれている弾性糸であり、比較的緊迫力の弱い部分に挿入及び／又は編み込まれている弾性糸が、１本づつの弾性糸である前記（１）〜（７）項のいずれかに記載の体型補整機能または筋肉サポート機能を有する衣類。」を「（４）比較的緊迫力の強い部分に挿入されている弾性糸が、２本そろえて挿入されている弾性糸であり、比較的緊迫力の弱い部分に挿入されている弾性糸が、１本づつの弾性糸である前記（１）〜（３）項のいずれかに記載のヒップ部を有する衣類。」と訂正する。
　（ネａ）特許明細書の段落番号【００２１】における「【００２１】」を「【００１７】」と訂正し、
　「（９）ジャカード編からなる地編組織の表側にあらわれる地編組織において、比較的緊迫力の強い部分の内、より一層緊迫力の強い部分が、２針以上の振りが入った割合の大きいサテン調ネット組織である前記（１）〜（５）又は（８）項のいずれかに記載の体型補整機能または筋肉サポート機能を有する衣類。」を「（５）ジャカード編からなる地編組織の表側にあらわれる地編組織において、比較的緊迫力の強い部分の内、より一層緊迫力の強い部分が、２針以上の振りが入った割合の大きいサテン調ネット組織である前記（１）〜（４）項のいずれかに記載のヒップ部を有する衣類。」と訂正する。
　（ノａ）特許明細書の段落番号【００２４】における「【００２４】」を「【００１８】」と訂正し、
　「（１２）ジャカード編からなる地編が２０〜８０デニールのナイロン糸からなる前記（１）〜（１１）項のいずれかに記載の体型補整機能または筋肉サポート機能を有する衣類。」を「（６）ジャカード編からなる地編が２０〜８０デニールのナイロン糸からなる前記（１）〜（５）項のいずれかに記載のヒップ部を有する衣類。」と訂正する。
　（ハａ）特許明細書の段落番号【００２７】における「【００２７】」を「【００１９】と訂正し、
　「（１５）更に編み組織による小柄な模様が形成されている前記（１）〜（１４）項のいずれかに記載の体型補整機能または筋肉サポート機能を有する衣類。」を「（７）更に編み組織による小柄な模様が形成されている前記（１）〜（６）項のいずれかに記載のヒップ部を有する衣類。」と訂正する。
　（ヒａ）特許明細書の段落番号【００２８】における「【００２８】」を「【００２０】」と訂正し、
　「（１６）衣類がヒップ部を有する衣類であって、帯状であり且つカーブした連続パターンの部分が比較的緊迫力の強い部分であり、且つ衣類の左右のヒップ部の膨らみの下から脇にかけての部分である前記（１）〜（１５）項のいずれかに記載の体型補整機能または筋肉サポート機能を有する衣類。」を「（８）比較的緊迫力の強い部分からなる帯状であり且つカーブした連続パターンの部分が、衣類の左右のヒップ部の膨らみの下から脇にかけての部分である前記（１）〜（７）項のいずれかに記載のヒップ部を有する衣類。」と訂正する。
　（フａ）特許明細書の段落番号【００２９】における「【００２９】」を「【００２１】」と訂正し、
　「（１７）衣類がガードルであって、帯状であり且つカーブした連続パターンの部分が比較的緊迫力の強い部分であり、且つガードルの左右のヒップ部の膨らみの下から脇にかけての部分である前記（１）〜（１５）項のいずれかに記載の体型補整機能または筋肉サポート機能を有する衣類。」を「（９）衣類がガードルであって、比較的緊迫力の強い部分からなる帯状であり且つカーブした連続パターンの部分が、ガードルの左右のヒップ部の膨らみの下から脇にかけての部分である前記（１）〜（７）項のいずれかに記載のヒップ部を有する衣類。」と訂正する。
　（ヘａ）特許明細書の段落番号【００３０】における「【００３０】」を「【００２２】」と訂正し、
　「（１８）衣類がガードルであって、更にガードルの腹部のほぼ中央部分が、比較的緊迫力の強い部分で構成されている前記（１７）項に記載の体型補整機能または筋肉サポート機能を有する衣類。」を「（１０）衣類がガードルであって、更にガードルの腹部のほぼ中央部分が、比較的緊迫力の強い部分で構成されている前記（９）項に記載のヒップ部を有する衣類。」と訂正する。
　（ホａ）特許明細書の段落番号【００３３】における「【００３３】」を「【００２３】」と訂正し、
　「弾性糸が挿入されるか及び／又は弾性糸が編み込まれてなる」を「弾性糸が挿入されてなる」と訂正し、
　「特に限定するものではないが、一般的には、」を削除する。
　（マａ）特許明細書の段落番号【００３４】における「【００３４】」を「【００２４】」と訂正し、
　「挿入糸用及び／又は編み込み用の弾性糸」を「挿入糸用の弾性糸」と訂正する。
　（ミａ）特許明細書の段落番号【００３５】における「【００３５】」を「【００２５】」と訂正し、
　「地編の表側にあらわれる編組織」を「表側にあらわれる地編の編組織」と訂正する。
　（ムａ）特許明細書の段落番号【００３６】から【００５５】までの段落番号のみを、それぞれ順次【００２６】から【００４５】までの段落番号に訂正する。
　（メａ）特許明細書の段落番号【００７７】の段落番号のみを、【００４６】の段落番号に訂正する。
　（モａ）特許明細書の段落番号【００７９】における「【００７９】」を「【００４７】」と訂正し、
　「以上、地編について説明したが、本発明で用いる生地は、かかる地編が非弾性糸で編まれ、更に生地のウエール方向に挿入糸として弾性糸が挿入されているか、及び／又は弾性糸が編み込まれている（ルーピングされている）。挿入される弾性糸及び／又は編み込まれる弾性糸は、均等に挿入及び／又は編み込まれていてもよいが、緊迫力の強弱の要求に応じて、挿入及び／又は編み込む弾性糸の本数及び／または太さを変化させてもよい。」を「以上、地編について説明したが、本発明で用いる生地は、かかる地編が非弾性糸で編まれ、更に生地のウエール方向に挿入糸として弾性糸が挿入されている。挿入される弾性糸は、緊迫力の強弱の要求に応じて、挿入する弾性糸の本数及び／または太さを変化させる。」と訂正する。
　（ヤａ）特許明細書の段落番号【００８０】における「【００８０】」を「【００４８】」と訂正し、
　文頭及びその後に記載されている「図１１〜図１３」をそれぞれ「図７〜図９」と訂正する。
　（ユａ）特許明細書の段落番号【００８１】における「【００８１】」を「【００４９】」と訂正し、
　「図１１〜図１３においては、いずれも図３で示したサテン調ネット組織を例にとって、この組織に挿入糸が挿入されている状態を示した。尚、図３で示したサテン調ネット組織は、表側の組織のみを示したが、図１１〜図１３においては、いずれもサテン調ネット組織の裏側の組織も重ねて示してある。そして、図１１〜図１３においては、いずれも図１１（ｂ）、図１２（ｂ）、図１３（ｂ）が、前記サテン調ネット組織に弾性糸からなる挿入糸が挿入されている状態を示した組織図であり、図１１（ａ）、図１２（ａ）、図１３（ａ）が、それらを構成するそれぞれの糸１本づつを取り上げて別々に組織図に記載したものである。」を「図７〜図９においては、いずれも図３で示したサテン調ネット組織を例にとって、この組織に挿入糸が挿入されている状態を示した。尚、図３で示したサテン調ネット組織は、表側の組織のみを示したが、図７〜図９においては、いずれもサテン調ネット組織の裏側の組織も重ねて示してある。そして、図７〜図９においては、いずれも図７（ｂ）、図８（ｂ）、図９（ｂ）が、前記サテン調ネット組織に弾性糸からなる挿入糸が挿入されている状態を示した組織図であり、図７（ａ）、図８（ａ）、図９（ａ）が、それらを構成するそれぞれの糸１本づつを取り上げて別々に組織図に記載したものである。」と訂正する。
　（ヨａ）特許明細書の段落番号【００８２】の段落番号のみを、【００５０】の段落番号に訂正する。
　（ラａ）特許明細書の段落番号【００８３】における「【００８３】」を「【００５１】」と訂正し、
　「図１１」を「図７」と訂正する。
　（リａ）特許明細書の段落番号【００８４】における「【００８４】」を「【００５２】」と訂正し、
　文頭及びその後に記載されている「図１１」をそれぞれ「図７」と訂正する。
　（ルａ）特許明細書の段落番号【００８５】における「【００８５】」を「【００５３】」と訂正し、
　「図１２」を「図８」と訂正する。
　（レａ）特許明細書の段落番号【００８６】における「【００８６】」を「【００５４】」と訂正し、
　文頭及びその後に記載されている「図１２」をそれぞれ「図８」と訂正する。
　（ロａ）特許明細書の段落番号【００８７】における「【００８７】」を「【００５５】」と訂正し、
　「図１３」を「図９」と訂正する。
　（ワａ）特許明細書の段落番号【００８８】における「【００８８】」を「【００５６】」と訂正し、
　文頭及びその後に記載されている「図１３」をそれぞれ「図９」と訂正する。
　（アｂ）特許明細書の段落番号【００８９】の段落番号のみを、【００５７】の段落番号に訂正する。
　（イｂ）特許明細書の段落番号【００９０】における「【００９０】」を「【００５８】」と訂正し、
　「図１１〜図１３」を「図７〜図９」と訂正する。
　（ウｂ）特許明細書の段落番号【００９１】における「【００９１】」を「【００５９】」と訂正し、
　「図１１〜図１３」を「図７〜図９」と訂正する。
　（エｂ）特許明細書の段落番号【００９９】における「【００９９】」を「【００６０】」と訂正し、
　「挿入糸に用いる弾性糸または編み込まれる弾性糸」を「挿入糸に用いる弾性糸」と訂正する。
　（オｂ）特許明細書の段落番号【０１００】における「【０１００】」を「【００６１】」と訂正し、
　「弾性糸の太さは、用いる衣類の種類、地編組織の種類、同じ衣類でもどの部位に用いるかによって、それぞれ適宜の太さのものを用いればよい。特に、緊迫力の変化を弾性糸の太さを変えて実現する場合には、比較的細い糸から比較的太い糸まで用いることになる。通常は、弾性糸としては、４０〜５６０デニールの範囲から、それぞれの製品の種類や弾性糸の使用目的に応じて好適な範囲のものを用いればよい。」を「弾性糸の太さは、用いる衣類の種類、地編組織の種類、同じ衣類でもどの部位に用いるかによって、それぞれ適宜の太さのものを用いればよく、１００〜５６０デニールの範囲から、それぞれの製品の種類や弾性糸の使用目的に応じて好適な範囲のものを用いればよい。」と訂正する。
　（カｂ）特許明細書の段落番号【０１０１】の段落番号のみを、【００６２】の段落番号に訂正する。
　（キｂ）明細書の段落番号【０１０２】における「【０１０２】」を「【００６３】」と訂正し、
　「図１５に本発明の衣類であるロングタイプのガードルの前側から見た斜視図、図１６にその後側から見た斜視図を示した。また、図１７には、前記図１５、図１６に示したガードルの主として後ろから前脇ならびに脚部に用いられる生地の裁断前の平面図、図１８には、前記図１５、図１６に示したガードルの前側腹部に用いられる腹部布用の生地の裁断前の平面図を示した。図１５〜図１８に於て矢印Ｓの方向の意味は、図１〜図６及び図１１〜図１３に於ける矢印Ｓの方向と同じ方向を意味する。」を「図１０に本発明の衣類であるロングタイプのガードルの前側から見た斜視図、図１１にその後側から見た斜視図を示した。また、図１２には、前記図１０、図１１に示したガードルの主として後ろから前脇ならびに脚部に用いられる生地の裁断前の平面図、図１３には、前記図１０、図１１に示したガードルの前側腹部に用いられる腹部布用の生地の裁断前の平面図を示した。図１０〜図１３に於て矢印Ｓの方向の意味は、図１〜図６及び図７〜図９に於ける矢印Ｓの方向と同じ方向を意味する。」と訂正する。
　（クｂ）特許明細書の段落番号【０１０３】における「【０１０３】」を「【００６４】」と訂正し、
　「例えば図１７」を「例えば図１２」と訂正し、
　「尚、図１５、図１６」を「尚、図１０、図１１」と訂正し、
　「尚、図１７」を「尚、図１２」と訂正する。
　（ケｂ）特許明細書の段落番号【０１０４】から【０１０５】までの段落番号のみを、それぞれ順次【００６５】から【００６６】までの段落番号に訂正する。
　（コｂ）特許明細書の段落番号【０１０６】における「【０１０６】」を「【００６７】」と訂正し、
　文頭とその後に記載された「図１７」をそれぞれ「図１２」と訂正し、
　文中の２カ所に記載された「図１８」をそれぞれ「図１３」と訂正し、
　「図１５〜図１６」を「図１０〜図１１」と訂正する。
　（サｂ）特許明細書の段落番号【０１０７】から【０１１１】までの段落番号のみを、それぞれ順次【００６８】から【００７２】までの段落番号に訂正する。
　（シｂ）特許明細書の段落番号【０１１５】における「【０１１５】」を「【００７３】」と訂正し、
　「図２０」を「図１４」と訂正し、
　「図２１」を「図１５」と訂正する。
　（スｂ）特許明細書の段落番号【０１１６】から【０１１７】までの段落番号のみを、それぞれ順次【００７４】から【００７５】までの段落番号に訂正する。
　（セｂ）特許明細書の段落番号【０１１８】における「【０１１８】」を「【００７６】」と訂正し、
　「図２１」を「図１５」と訂正する。
　（ソｂ）特許明細書の段落番号【０１１９】から【０１２２】までの段落番号のみを、それぞれ順次【００７７】から【００８０】までの段落番号に訂正する。
　（タｂ）特許明細書の段落番号【０１２３】における「【０１２３】」を「【００８１】」と訂正し、
　「図２０と図２１」を「図１４と図１５」と訂正する。
　（チｂ）特許明細書の段落番号【０１２４】から【０１２７】までの段落番号のみを、それぞれ順次【００８２】から【００８５】までの段落番号に訂正する。
　（ツｂ）特許明細書の段落番号【０１２８】における「【０１２８】」を「【００８６】」と訂正し、
　「次に図２２に本発明の衣類であるボディスーツの前側から見た斜視図、図２３にその後側から見た斜視図を示した。図２２においては下側の後ろ裾部分の図示を省略している。この部分は図２３を参照すれば理解される。また図２３においては、ストラップの間に見えるはずの右側の乳房カップ近傍と右脇近傍部分の図示を省略している。これらを図２３に記載すると図が複雑になり理解しにくくなるとともに、図２２で十分理解できるからである。」を「次に図１６に本発明の衣類であるボディスーツの前側から見た斜視図、図１７にその後側から見た斜視図を示した。図１６においては下側の後ろ裾部分の図示を省略している。この部分は図１７を参照すれば理解される。また図１７においては、ストラップの間に見えるはずの右側の乳房カップ近傍と右脇近傍部分の図示を省略している。これらを図１７に記載すると図が複雑になり理解しにくくなるとともに、図１６で十分理解できるからである。」と訂正する。
　（テａ）特許明細書の段落番号【０１２９】における「【０１２９】」を「【００８７】」と訂正し、
　「先に図１９を用いて説明したブラジャーのカップ部と実質的に同一であり、」を削除する。
　（トｂ）特許明細書の段落番号【０１３０】から【０１３４】までの段落番号のみを、それぞれ順次【００８８】から【００９２】までの段落番号に訂正する。
　（ナｂ）特許明細書の段落番号【０１５４】から【０１５６】までの段落番号のみを、それぞれ順次【００９３】から【００９５】までの段落番号に訂正する。
　（ニｂ）特許明細書の段落番号【０１５７】における「【０１５７】」を「【００９６】」と訂正し、
　「すでに説明した例においても明らかな様に、図２６、図２７に示したスポーツ用タイツは、図２４、図２５に示したスポーツ用タイツに比べて、全体的にやや緊迫力を弱めたタイプにしていることからも明らかである。すなわち、図２６、図２７に示したスポーツ用タイツの各部位の緊迫力を、図２４、図２５に示したスポーツ用タイツに比べて、全体的にやや緊迫力を強めたタイプにしたり、ほぼ同等の緊迫力を有するタイプにすることもできる。」を削除する。
　（ヌｂ）特許明細書の段落番号【０１５８】から【０１６２】までの段落番号のみを、それぞれ順次【００９７】から【０１０１】までの段落番号に訂正する。
　（ネｂ）特許明細書の段落番号【０１６３】における「【０１６３】」を「【０１０２】」と訂正し、
　「図１５〜図１７」を「図１０〜図１２」と訂正する。
　（ノｂ）特許明細書の段落番号【０１６４】の段落番号のみを、【０１０３】の段落番号に訂正する。
　（ハｂ）特許明細書の段落番号【０１６５】の段落番号のみを削除する。
　（ヒｂ）特許明細書の段落番号【０１６５】において５カ所に記載されている「図１７」をそれぞれ「図１２」と訂正する。
　（フｂ）特許明細書の段落番号【０１６６】における「【０１６６】」を「【０１０４】」と訂正し、
　「地編の表側にあらわれる編組織」を「表側にあらわれる地編の編組織」に訂正する。
　（へｂ）特許明細書の段落番号【０１６７】における「【０１６７】」を「【０１０５】」と訂正し、
　「かつ必要な体型補整機能または筋肉サポート機能を付与した衣類」を「かつ必要な体型補整機能を付与したガードル、ショーツ、ボディスーツから選ばれたヒップ部を有する衣類」と訂正し、
　「肌触りの低下もない体型補整機能または筋肉サポート機能を付与した衣類」を「肌触りの低下もない体型補整機能を付与した上記衣類」と訂正し、
　「体型補整機能または筋肉サポート機能を有する衣類」を「体型補整機能を有する上記衣類」と訂正する。
　（ホｂ）特許明細書の【図面の簡単な説明】の欄において、
　【図７】〜【図１０】の図面番号とその記載内容をすべて削除し、
　【図１１】から【図１３】までの図面番号のみを、それぞれ順次【図７】から【図９】までの図面番号に訂正する。
　（マｂ）特許明細書の【図面の簡単な説明】の欄において、【図１４】の図面番号とその記載内容をすべて削除する。
　（ミｂ）特許明細書の【図面の簡単な説明】の欄において、
　「【図１５】
　本発明の衣類であるロングタイプのガードルの前側から見た斜視図。
　【図１６】
　図１５に示したロングタイプのガードルの後側から見た斜視図。
　【図１７】
　図１５、図１６に示したガードルの主として後ろから前脇ならびに脚部に用いられる生地の裁断前の平面図。
　【図１８】
　図１５、図１６に示したガードルの前側腹部に用いられる腹部布用の生地の裁断前の平面図。」を
　「【図１０】
　本発明の衣類であるロングタイプのガードルの前側から見た斜視図。
　【図１１】
　図１０に示したロングタイプのガードルの後側から見た斜視図。」
　【図１２】
　図１０、図１１に示したガードルの主として後るから前脇ならびに脚部に用いられる生地の裁断前の平面図。
　【図１３】
　図１０、図１１に示したガードルの前側腹部に用いられる腹部布用の生地の裁断前の平面図。」と訂正する。
　（ムｂ）特許明細書の【図面の簡単な説明】の欄において、【図１９】の図面番号とその記載内容をすべて削除する。
　（メｂ）特許明細書の【図面の簡単な説明】の欄において、
　「【図２０】
　本発明の衣類であるショーツの前側から見た斜視図。
　　【図２１】
　図２０に示したショーツの後側から見た斜視図。
　　【図２２】
　本発明の衣類であるボディスーツの前側から見た斜視図。
　　【図２３】
　図２２に示したボディスーツの後側から見た斜視図。」を
　「【図１４】
　本発明の衣類であるショーツの前側から見た斜視図。
　　【図１５】
　図１４に示したショーツの後側から見た斜視図。
　　【図１６】
　本発明の衣類であるボディスーツの前側から見た斜視図。
　　【図１７】
　図１６に示したボディスーツの後側から見た斜視図。」と訂正する。
　（モｂ）特許明細書の【図面の簡単な説明】の欄において、【図２４】〜【図２８】の図面番号とその記載内容をすべて削除する。
　（ヤｂ）特許明細書の【図面の簡単な説明】の欄において、【図２９】の図面番号のみを、【図１８】の図面番号に訂正する。
　（ユｂ）特許明細書の【図面の簡単な説明】の欄において、
　「【図３０】
　図２９のロングタイプのガードルの後側から見た斜視図。」を
　「【図１９】
　図１８のロングタイプのガードルの後側から見た斜視図。」と訂正する。
　（ヨｂ）特許明細書の【図面の簡単な説明】の欄の【符号の説明】の項の
　「１０　　サテン調トリコット組織の表側に現れる非弾性糸
　　１１　　サテン調トリコット組織の裏側に現れる非弾性糸
　　１２　　編み込まれた弾性糸」を削除する。
　（ラｂ）特許明細書の【図面の簡単な説明】の欄の【符号の説明】の項の
　「３１　ブラジャーのカップ
　３１ａ　カップ３１の上方部分
　３１ｂ　カップ下辺部から脇にかけての部分
　３２　　土台布
　３３　　バック布
　３３ａ、３３ｂ、３３ｃ、３３ｄ　バック布の人体脇部に当接する部分
　３４　ストラップ」を削除する。
　（リｂ）特許明細書の【図面の簡単な説明】の欄の【符号の説明】の項の
　「８１　大腿部前面側の筋肉群の筋腹部分をカバーする部位
　８２、８４、８７　大転子またはその近傍や外側広筋などからなる大腿部側面側の筋肉群と左右のヒップ部の膨らみの下から脇にかけての部分ならびに腓腹筋のサイド部分をカバーする部位
　８３　大腿部前面側の筋肉群の筋腹部分をカバーする部位
　８５　膝をカバーする部位
　８６　すねをカバーする部位
　８８　すねをカバーする部位
　８９　ヒップの主要部をカバーする部位
　９０　ヒップの主要部をカバーする部位
　９１　大腿部の後側の筋肉群の筋腹部分をカバーする部位
　９２　腓腹筋の筋腹部分をカバーする部位
　１３１　ブラジャーのカップ
　１３１ａ　カップ１３１の上方部分
　１３１ｂ　カップ下辺部から脇にかけての部分
　１３２　土台布
　１３３　バック布
　１３３ａ、１３３ｂ、１３３ｃ、１３３ｄ　バック布の人体脇部に当接する部分
　１３４　ストラップ」を削除する。
　（ルｂ）原図面の図７〜図１０、図１４、図１９、図２４〜図２８を削除し、
　原図面の【図１１】から【図１３】までの図面番号のみを、それぞれ順次【図７】から【図９】までの図面番号に訂正し、
　原図面の【図１５】から【図１８】までの図面番号のみを、それぞれ順次【図１０】から【図１３】までの図面番号に訂正し、
　原図面の【図２０】から【図２３】までの図面番号のみを、それぞれ順次【図１４】から【図１７】までの図面番号に訂正し、
　原図面の【図２９】から【図３０】までの図面番号のみを、それぞれ順次【図１８】から【図１９】までの図面番号に訂正する。
　
３．当審の判断
　ア．訂正の目的の適否、新規事項の有無及び拡張・変更の存否
　上記訂正事項（アａ）〜（ルｂ）について検討する。
　訂正事項（アａ）は、発明の名称を減縮された特許請求の範囲の記載と整合させるための訂正であって、明りょうでない記載の釈明を目的とした訂正である。
　訂正事項（イａ）は、請求項を削除する訂正であり、特許請求の範囲の減縮を目的とした訂正である。
　訂正事項（ウａ）は、訂正事項（イａ）での請求項１の削除に伴い、請求項２を請求項１として繰り上げるとともに、訂正前の請求項１１，１３，１４及び１６の記載、並びに特許明細書の段落【００３３】、【００３６】、【００３９】、【００４０】、【００８９】、【００９０】、【０１０２】、【０１２５】の記載に基づいて、特許明細書に記載された事項の範囲内において構成を限定するものであるから、明りょうでない記載の釈明と特許請求の範囲の減縮を目的とした訂正である。
　訂正事項（エａ）〜（シａ）は、請求項の削除に伴って請求項の順番を順次繰り上げるとともに、特許明細書に記載された事項の範囲内において構成を限定するものであるから、明りょうでない記載の釈明と特許請求の範囲の減縮を目的とした訂正である。
　訂正事項（スａ）〜（ヘｂ）は、訂正した請求項の記載及び削除した図面と整合させるために発明の詳細な説明の記載を削除又は補正するものであるから、明りょうでない記載の釈明を目的とした訂正である。
　訂正事項（ホｂ）〜（ルｂ）は、訂正した請求項の記載と整合させるために図面を削除するとともに、図面の簡単な説明の記載を整合させるための訂正であるから、明りょうでない記載の釈明を目的とした訂正である。
　そして、上記訂正事項（アａ）〜（ルｂ）は、特許明細書に記載された事項の範囲内の訂正であって、新規事項を追加するものではなく、実質的に特許請求の範囲を拡張し又は変更するものでもない。
　
　イ．独立特許要件について
　本件特許第３０２３３５４号の請求項１〜２０に係る発明は、別途、本件に係る異議２０００−７２２８２号の平成１３年６月１４日付け異議決定により取消決定がなされたので、上記異議事件において異議申立人が提出した証拠をふまえて、上記訂正請求した請求項１〜１０に係る特許発明（以後、「本件訂正発明１」〜「本件訂正発明１０」という。）について独立特許要件の有無を検討する。
　（１）本件訂正発明１〜１０
　本件訂正発明１〜１０は、平成１３年１２月１０日付けで補正された訂正明細書の特許請求の範囲の請求項１〜請求項１０に記載された事項により特定される下記のとおりのものである。
　「【請求項１】ジャカード編からなる地編が非弾性糸で編まれ、挿入糸として１００〜５６０デニールの弾性糸を用いた経編地からなる衣類に於て、緊迫力の強弱の要求に応じて表側にあらわれる前記地編の編組織を切り替えて、組織の変化により、所定部分に所定の比較的緊迫力の強い部分と比較的緊迫力の弱い部分をパターン状に設け、前記地編の編組織の変化により形成したパターンの少なくとも１つが、帯状であり且つカーブした連続パターンであって、当該連続パターンの部分が、比較的緊迫力の強い部分であり、且つ緊迫力の強弱の要求に応じて、挿入する弾性糸の本数及び／または太さを変化させて、前記地編組織の変化による緊迫力の強弱の態様と挿入する弾性糸の本数及び／または太さを挿入する部分に応じて変えることの組み合わせにより、種々のグレードの緊迫力を有する部分を１つの経編生地の上に形成し、且つ編方向が衣類のほぼ横方向又は斜め方向となるように２つ以上の前記経編地を縫合することにより形成してなる体型補整機能を有するガードル、ショーツ、ボディスーツから選ばれたヒップ部を有する衣類。
　【請求項２】ジャカード編からなる地編組織の表側にあらわれる地編組織が、サテン調ネット組織とメッシュ調ネット組織との組合わせからなる請求項１に記載のヒップ部を有する衣類。
　【請求項３】ジャカード編からなる地編組織の表側にあらわれる地編組織において、比較的緊迫力の強い部分がサテン調ネット組織からなり、比較的緊迫力の弱い部分がメッシュ調ネット組織からなる請求項１〜２のいずれかに記載のヒップ部を有する衣類。
　【請求項４】比較的緊迫力の強い部分に挿入されている弾性糸が、２本そろえて挿入されている弾性糸であり、比較的緊迫力の弱い部分に挿入されている弾性糸が、１本づつの弾性糸である請求項１〜３のいずれかに記載のヒップ部を有する衣類。
　【請求項５】ジャカード編からなる地編組織の表側にあらわれる地編組織において、比較的緊迫力の強い部分の内、より一層緊迫力の強い部分が、２針以上の振りが入った割合の大きいサテン調ネット組織である請求項１〜４のいずれかに記載のヒップ部を有する衣類。
　【請求項６】ジャカード編からなる地編が２０〜８０デニールのナイロン糸からなる請求項１〜５のいずれかに記載のヒップ部を有する衣類。
　【請求項７】更に編み組織による小柄の模様が形成されている請求項１〜６のいずれかに記載のヒップ部を有する衣類。
　【請求項８】比較的緊迫力の強い部分からなる帯状であり且つカーブした連続パターンの部分が、衣類の左右のヒップ部の膨らみの下から脇にかけての部分である請求項１〜７のいずれかに記載のヒップ部を有する衣類。
　【請求項９】衣類がガードルであって、比較的緊迫力の強い部分からなる帯状であり且つカーブした連続パターンの部分が、ガードルの左右のヒップ部の膨らみの下から脇にかけての部分である請求項１〜７のいずれかに記載のヒップ部を有する衣類。
　【請求項１０】衣類がガードルであって、更にガードルの腹部のほぼ中央部分が、比較的緊迫力の強い部分で構成されている請求項９に記載のヒップ部を有する衣類。」
　
　（２）引用刊行物
　当審が、異議２０００−７２２８２号の異議の決定で引用した刊行物１（登録実用新案第３００８７３７号公報）には、ファウンデーションなどを製造するための一体成形用編地に関して、下記の事項Ａ〜Ｄが図面とともに記載されている。
　Ａ；「【請求項１】経編機の少なくとも１枚の地筬に通糸された弾性糸によるか、またはその弾性糸と他の少なくとも１枚の地筬に通糸された非弾性糸とで編成された地組織に、適宜部位に応じて編組織の変更により伸縮度の異なる部分を混在させるとともに柄模様などの装飾性を付与して成るジャカード制御された編糸が編み込まれて構成されたファウンデーションなどのための一体成形用編地。
　【請求項２】少なくとも１枚の地筬に通糸された非弾性糸とジャカード筬に通糸された非弾性糸の各々に異染色糸を用いて構成された請求項１に記載のファウンデーションなどのための一体成形用編地。
　【請求項３】少なくとも１枚の地筬に通糸された非弾性糸および／またはジャカード筬に通糸された非弾性糸に吸湿性糸を用いて構成された請求項１に記載のファウンデーションなどのための一体成形用編地。
　【請求項４】経編機の少なくとも１枚の地筬に通糸された非弾性糸で編成された地組織に、適宜部位に応じて編組織の変更により伸縮性を変化させるとともに柄模様などの装飾性を付与してなるジャカード制御された弾性糸が編み込まれて構成されたファウンデーションなどのための一体成形用編地。」（実用新案登録請求の範囲）
　Ｂ；「【作用】
　上記手法により完成されたガードル用などの一体成形用編地は、全域に亘って伸縮性に優れ、なおかつ必要に応じて各部位毎に伸縮性が変化されてなるとともに柄模様をもった装飾性が付与されて特にファウンデーションなどの一体成形用編地として最適なものとなっている。
　【実施例】
　以下、本考案を図面に基づいて説明する。図１は本考案のファウンデーションなどのための一体成形用編地（以下一体成形用編地と称す）を編成するための一機種であるカールマイヤー社製トリコット機ＫＳＪ３／１−３２Ｅの編成要部の側面図である。
　Ｌ１，Ｌ２は地筬、Ｌ３はジャカード筬であり、本実施例においてジャカード筬Ｌ３にはポリエステル糸４０デニール、地筬Ｌ２にはポリアミド糸３０デニール、地筬Ｌ１にはポリウレタン糸４０デニールを各々総詰めに通糸しており、地筬Ｌ１，Ｌ２の編組織及びジャカード筬Ｌ３の基本編組織は図２に示されている通り、Ｌ１：１−０／１−２／／，Ｌ２：１−２／１−０／／，Ｌ３：０−１／３−２／／としている。」（段落【０００９】〜【００１１】）
　Ｃ；「図４は、図２の地筬Ｌ１，Ｌ２の編組織で地組織を形成し、その上に図３のジャカード筬Ｌ３の編組織ａ，ｂ，ｃのバリエーションで柄出しして編みたてられた裁断前の一体成形用編地であり、前見頃中央部Ｗを除く部分の内、最も伸縮性を必要とする臀部Ｘ（図中白部）には薄地ｃ，最も安定性を必要とする側腰部Ｙ（図中格子状部）には厚地ｂ、中程度の伸縮性を有する他の部分Ｚ（図中横線状部）には中厚地ａが使用されている。
　但し、ジャカードガイド１は個別に制御されるので、求められる伸縮度や柄効果に応じてａ，ｂ，ｃの各バリエーションを適度に組み合わせて使用すれば良い。例えば臀部における伸縮度を減じて強度を持たせる場合には一律にｃとａを混合して配し、その際に配し方を幾何学的にすれば地柄効果が現出する。
　前身頃中央部Ｗのレース調の花柄もまた、それらのバリエーションを柄の各部位の効果に応じて、例えば花弁や葉を厚地ｂと中厚地ａ、その他の部分を薄地ｃという風に使い分けることで現出され、編みあがった一体成形用編地は最終的に図中一点鎖線Ｖの枠内で示された脚部用穴部を取り除く等の裁断が行なわれた後、縫製されて例えば図５に描かれているようなガードルに仕上げられる。
　尚、当然の事ながら地筬Ｌ１，Ｌ２の編組織及びジャカード筬Ｌ３の基本編組織は、ここに紹介されているものに限定される訳ではないので、図６にジャカード筬についてその他の編組織のいくつかの例を示しておく。この内、Ｂの編組織を用いれば全般的に伸縮性が増し、編地も薄手のものとなる。」（段落【００１４】〜【００１７】）
　Ｄ；「本考案の一体成形用編地はファウンデーションの他にアウターウエアや水着にも適用することが可能である。」（段落【００２３】）
　同じく引用した刊行物２（発明協会公開技報　公技番号９８−９８０〈発行日　１９９８年２月１６日〉）には、補整下着に関して、下記の事項Ｅが図面とともに記載されている。
　Ｅ；「筬配列は編機前方より、例えばナイロン糸等を通糸する地筬Ｌ１，各々弾性糸を芯糸とするカバーリング糸等を通糸するジャカード筬Ｌ２，Ｌ３ナイロン糸等を通糸する地筬Ｌ４の順となっている。
　・・・中略・・・補整下着１はヒップアップ等の良好な補整効果を得るために、身体に適度にフィットさせるための締め付け力を有する区域２，区域２よりもやや弱い締め付け力を有する区域３，最も弱い締め付け力を有する区域４，区域２よりも強い締め付け力を有する区域５，ジャカード制御により柄出しされた区域６とで構成されており、これらの各区域は、ジャカード筬Ｌ３，Ｌ４のジャガードガイドに通糸するカバーリング糸を個別制御して各々の糸の編組織を適宜変化させることにより編成するものなので、補整下着１は無縫製で形成されることになる。
　実施例の糸使いとしては、前記ナイロン糸として３０デニール〜２１０デニールのもの（テクスチャード加工糸含む）が望ましく、前記カバーリング糸としてはショーツ用には４０デニール〜２１０デニールのもの、ガードル用には１４０デニール〜４２０デニールのものが望ましい。」（第１頁左欄下から２行〜第２頁左欄４行）
　同じく引用した刊行物３（発明協会公開技報　公技番号９６−３７８４〈発行日　１９９６年３月１５日〉）には、部分的に伸縮度の異なる伸縮性編地の一体編成方法に関して、下記の事項Ｆが図面とともに記載されている。
　Ｆ；「第１図の組織がカール・マイヤー社製トリコット機ＫＳ３で編成された場合、フロント地筬Ｌ３の組織は３−４／１−０／／，ミドル地筬Ｌ２の組織は０−０／１−１／０−０／３−３／２−２／３−３／／，バック地筬Ｌ１の組織は１−０／１−２／／であり、フロント地筬Ｌ３には非弾性糸が、バック地筬Ｌ１には弾性糸が各々総詰めで、ミドル地筬Ｌ２には例えば２１ｉｎ５０ｏｕｔのように部分的に弾性糸が通糸されている。第２図において（Ａ）には第１図の組織で編成された経編地１が示されており斜線部ａ１，ａ２はミドル地筬Ｌ２の弾性糸が挿入組織で編み込まれた伸縮度の強い部分である。」（第１頁左欄下から５行〜右欄１０行）
　同じく引用した刊行物４（発明協会公開技報　公技番号９６−６７１６〈発行日　１９９６年５月１５日〉）には、ジャガード機付きラッシェル機による編成方法に関して、下記の事項Ｇが図面とともに記載されている。
　Ｇ；「第１図の編組織例（Ａ）に関して、ジャカード糸の基本編組織（１ａ）は２−０／２−４／／の編組織の３リピート分であり、該基本編組織（１ａ）１，５及び６コース目においてジャカード筬（Ｌ１）のジャカードガイドの作用を矢印方向に１針間分行なうことにより得られる、ジャカード筬（Ｌ１）に総詰めで通糸されたジャカード糸の穴地編組織（１ａ３）のチェーン番号は、４−２／２−４／２−０／２−４／４−２／４−６／／であり、該穴地編組織（１ａ３）で編成された非弾性のジャカード糸の編目列、及び地糸（Ｌ２）に総詰めで通糸された非弾性の補助用の地糸により上記穴地編組織（１ａ３）と同じ編組織（２ａ）で、編成された編目列に地筬Ｌ３に総詰めで通糸された弾性の地糸が２−２／０−０／／の挿入編（３ｌ）で、また地筬Ｌ４に総詰めで通糸された弾性の地糸が２−２／０−０／６−６／４−４／６−６／０−０／／の挿入編（４ｍ）で各々編み込まれることにより、トリスキンの編組織でジャカード柄入り弾性経編地の基布が編成される。」（第２頁左欄５行〜２４行）
　Ｈ；「２８ＥのＲＳＪ４／１で行なわれる本案の編成方法において、使用される糸の好適な太さの範囲は、ジャカード糸がテクスチャード加工糸を含むナイロン等の合成繊維の場合３０デニール〜１００デニール，芯糸に弾性糸を使用したカバーリング糸の場合５０デニール〜１２０デニールであり、地糸がテクスチャード加工糸を含むナイロン等の合成繊維の場合３０デニール〜５０デニール、スパンデックス等の弾性糸の場合４０デニール〜２８０デニール、綿糸等の場合、綿番手で４０番手〜１００番手である。」（第３頁右欄下から６行〜第４頁左欄６行）
　同じく引用した刊行物５（特開昭６３−８５１４６号公報）には、伸縮性編地関して、下記の事項Ｉ、Ｊが図面とともにきさいされている。
　Ｉ；「非伸縮性繊維糸と、伸縮力の異なる２種以上の伸縮性繊維糸により交編されて、伸縮力の異なる編地部分がそれぞれ段階状に形成されており、該編地部分の伸縮力の異なる境界部分において伸縮力の異なる部分が混在して編成されており、且つ、切り替え部を有することなく連続して編成されていることを特徴とする伸縮性編地。」（特許請求の範囲の欄）
　Ｊ；「伸縮力の異なる伸縮性繊維糸は、いずれの方法によって得られてもよいが、糸の太さを変化させて伸縮力に差をつけるのが好ましい。低伸縮力糸の場合、２０〜４０デニールが好ましい。２０デニール未満の場合、糸の３００％伸長時の伸縮力が１０ｇ以下となり生地での応力も弱くなりすぎ、フィット感に劣るのでよくない。また、４０デニールを超えると、伸縮力は３００％伸長時２０ｇ以上となり生地での応力も充分となるが、高伸縮糸との差が付けにくくなるため好ましくない。また、高伸縮力糸の場合、５０〜１４０デニールが好ましい。」（第２頁右上欄１９行〜左下欄１０行）
　さらに、実施例には、水着の臀部あるいは腹部のように必要とされる伸縮力（緊迫力に相当）の異なる部位に対応して、高伸縮糸と低伸縮糸の使用本数を変化させることが記載されている。
　同じく引用した刊行物６（「ＴＡＴＥＡＭＩ　ＪＯＵＲＮＡＬ」〈平成９年１０月１日発行〉）には、コンピュータ制御ピエゾジャカードラッシェル機ＲＳＪ４／１−１３０”−２８Ｅの紹介記事として下記の事項Ｋが記載されている。
　Ｋ；「それぞれのジャカードガイドが独立して制御されるので全く自由に柄を創作することが可能である。この種の生地は従来、トリコトロニックタイプのＫＳＪ，３／１で生産され、アンダーウエアやファンデーション、スポーツウエア、水着分野に展開されてきた。新しい技術と組合せる事によって同モデルが開発され、迅速にトラブルのない殆ど無制限な柄域が可能になった。」（紹介記事の左欄７行〜中央欄１行）
　同じく引用した刊行物７（特開平８−３１１７０３号公報）には、美麗なる補整機能性と着用性とを同時に満たすガードルに関して、下記の事項Ｌが図面とともに記載されている。
　Ｌ；「【請求項１】前身頃及び後身頃とからなり、前記後身頃には臀溝部より腰部に至って帯状の充当部材が縫合されてなるガードルであって、この充当部片上に補助片が充当部片の外形線上に合わせて縫着されると共に、この補助片の下方部においては上縁部の長さがその充当部片の長さと略同一で、下縁部の長さがその充当部片の長さより縮減されると共に、表面積がその充当部片の表面積より縮減されてなることを特徴とするガードル。」（特許請求の範囲の欄）
　
　（３）対比・判断
　【本件訂正発明１について】
　刊行物１に記載された上記記載事項Ａ〜Ｄからみて、刊行物１に記載された一体成形用編地もジャカード編からなる地編が非弾性糸で編まれ、アンダーウエア（ガードル、ショーツ、ボディスーツ等のヒップ部を有する衣類も含まれる）に使用されるものであり、緊迫力の強弱の要求に応じて表側にあらわれる地編の編組織を切替え、弾性糸と非弾性糸を使用して編組織の変更により伸縮度の異なる部分を混在させる（帯状であり且つカーブした連続パターン状のものも含む）とともに柄模様などを付与するように経編機をジャカード制御することにより編み込まれるものであり、編成された一体成形用編地は、その伸縮度の異なる部分により体型補整機能を有することは明らかであるから、本件訂正発明１の用語を使用して本件訂正発明１と刊行物１に記載された発明とを対比すると、両者は、「ジャカード編からなる地編が非弾性糸で編まれた経編地からなる衣類に於て、緊迫力の強弱の要求に応じて表側にあらわれる前記地編の編組織を切り替えて、組織の変化により、所定部分に所定の比較的緊迫力の強い部分と比較的緊迫力の弱い部分をパターン状に設け、前記地編の編組織の変化により形成したパターンの少なくとも１つが、帯状であり且つカーブした連続パターンである体型補整機能を有するガードル、ショーツ、ボディスーツから選ばれたヒップ部を有する衣類。」で一致しており、下記の点で相違している。
　相違点１；本件訂正発明１では、地編が非弾性糸で編まれ、挿入糸として１００〜５６０デニールの弾性糸を用いた経編地からなる衣類であるのに対して、刊行物１に記載された発明では、地編に非弾性糸と弾性糸を使用するものであり、挿入糸として１００〜５６０デニールの弾性糸を用いることについては記載されていない点。
　相違点２；本件訂正発明１では、地編の編組織の変化により形成したパターンの少なくとも１つが、帯状であり且つカーブした連続パターンの部分が、比較的緊迫力の強い部分であり、且つ緊迫力の強弱の要求に応じて、挿入する弾性糸の本数及び／または太さを変化させて、前記地編組織の変化による緊迫力の強弱の態様と挿入する弾性糸の本数及び／または太さを挿入する部分に応じて変えることの組み合わせにより、種々のグレードの緊迫力を有する部分を１つの経編生地の上に形成し、且つ編方向が衣類のほぼ横方向又は斜め方向となるように２つ以上の前記経編地を縫合するものであるのに対して、刊行物１に記載された発明では、編組織の変更により伸縮度の異なる部分（帯状であり且つカーブした連続パターン状の部分に相当）を編成するものであって、本件訂正発明１のように、緊迫力の強弱の要求に応じて、地編組織を変化させると共に、挿入する弾性糸の本数及び／または太さを変化させて、前記地編組織の変化による緊迫力の強弱の態様と挿入する弾性糸の本数及び／または太さを挿入する部分に応じて変えることの組み合わせにより、種々のグレードの緊迫力を有する部分を１つの経編生地の上に形成するものではなく、また、経編地も一体成形用編地であって、本件訂正発明１のように編方向が衣類のほぼ横方向又は斜め方向となるように２つ以上の経編地を縫合するものではない点。
　上記相違点について検討するに、
　刊行物２（上記記載事項Ｅ参照）には、ダブルニードルバージャカードラッシェル機により補整下着を編成する点、及び、４０デニール〜４２０デニールのカバーリング糸（弾性糸に相当）を使用することが望ましいことが理解できるにとどまるものである。
　刊行物３（上記記載事項Ｆ参照）には、伸縮度の強い部分（緊迫力の強い部分に相当）に弾性糸を挿入組織で編み込むことが記載されているにとどまるものである。
　刊行物４（上記記載事項Ｇ、Ｈ参照）には、ジャカード機構付きラッシェル機による、穴地編組織に弾性の地糸を挿入編で編み込むことにより、トリスキンの編組織でジャカード柄入り弾性経編地の基布の編成方法と、弾性糸として４０デニール〜２８０デニールの太さの糸を使用することが理解できるにとどまるものである。
　刊行物５（上記記載事項Ｉ、Ｊ参照）には、伸縮性編地に使用する弾性糸に５０〜１４０デニールの太さの糸を使用する点、及び、水着の臀部あるいは腹部のように必要とされる伸縮力（緊迫力に相当）の異なる部位に対応して、高伸縮糸と低伸縮糸の使用本数を変化させることが理解できるにとどまるものである。
　刊行物６（上記記載事項Ｋ参照）には、コンピュータ制御ピエゾジャカードラッシェル機ＲＳＪ４／１−１３０”−２８Ｅの紹介記事が記載されているにすぎないものであって、具体的な衣類の編地の構成については、何ら記載されていないものである。
　刊行物７（上記記載事項Ｌ参照）には、帯状であり且つカーブした連続パターンの部分を緊迫力の強い編地を使用する点、及び、２つ以上の編地を縫合してガードルを縫製する点が理解できるにとどまるものである。
　そして、編成された経編地で衣類を縫製する際、編方向を横方向とすることは、経編生地の伸縮性を考慮するならば当然に採用することができる程度の技術事項と認められるが、緊迫力の強弱の要求に応じて、地編組織の変化と、挿入する弾性糸の本数及び／または太さを変化の組合せにより、種々のグレードの緊迫力を有する部分を１つの経編生地の上に形成することは、本件出願前当業者に知られた技術事項であるとは認めることができない。
　そうすると、各刊行物２〜７に記載された技術事項並びに本件出願前当業者に周知の技術事項を総合勘案したとしても、本件訂正発明１の相違点１に係る構成（挿入糸として１００〜５６０デニールの弾性糸を用いる点）及び本件訂正発明１の上記相違点２の係る構成のうち、地編の編組織の変化により形成したパターンの少なくとも１つが、帯状であり且つカーブした連続パターンの部分とし、編方向が衣類のほぼ横方向又は斜め方向となるように２つ以上の経編地を縫合して体型補整機能を有するガードル等のヒップ部を有する衣類を縫製することまでは、当業者であれば容易に想到することができる程度の事項であるとは認められるが、上記したとおり、刊行物１〜４に記載された事項からは、緊迫力の強い部分と弱い部分を編組織の変化により編成することが、又、甲第５号証からは、弾性糸の太さや本数（密度）変化させることで緊迫力の強い部分を編成することが理解できるにとどまるものであり、甲第６号証及び甲第７号証にも上記摘記した事項が記載されているにすぎないものであるから、本件訂正発明１のように地編組織の変化による緊迫力の強弱の変化と挿入する弾性糸の本数及び／または太さをを挿入する部分に応じて変えることの組合せにより種々のグレードの緊迫力を有する部分を１つの経編生地の上に形成することまで当業者が容易に想到することができるものとは認めることができない。
　そして、本件訂正発明１は、地編組織の変化による緊迫力の強弱の変化と挿入する弾性糸の本数及び／または太さをを挿入する部分に応じて変えることの組合せにより種々のグレードの緊迫力を有する部分を１つの経編生地の上に形成することによって、特許明細書中に記載（全文訂正明細書の段落【０１０４】、【０１０５】参照）された格別な効果を奏するものと認める。
　したがって、本件訂正発明１は、本件出願前周知の事項を考慮したとしても、刊行物１〜７に記載された発明に基づいて当業者が容易に発明をすることができたものとは認めることができない。
　
　【本件訂正発明２〜１０について】
　本件訂正発明２〜１０は、本件訂正発明１の技術事項を引用するとともに、それぞれ技術事項（「（１）本件訂正発明１〜１０」の項を参照すること。）を限定したものである。
　そして、本件訂正発明１が刊行物１〜７に記載された発明に基づいて当業者が容易に発明をすることができたものとは認めることができないものであることは、上記【本件訂正発明１について】の項で対比・判断したとおりである。
　したがって、本件訂正発明２〜１０も、本件出願前周知の事項を考慮したとしても、刊行物１〜７に記載された発明に基づいて当業者が容易に発明をすることができたものとは認めることができない。
　
　（４）まとめ
　また、他に本件訂正発明１〜１０について、独立特許要件がないとする証拠も発見しない。
　よって、本件訂正発明１〜１０が、特許出願の際独立して特許を受けることができない発明とすることはできない。
　
４．むすび
　以上のとおりであるから、本件審判の請求は、特許法第１２６条第１項ただし書第１号〜第３号に掲げる事項を目的とし、かつ、同条第２項〜第４項の規定に適合する。
　よって、結論のとおり審決する。